(57)【要約】【課題】表示ラインの多い画像を表示することができるプラズマディスプレイ装置を提供することを課題とする。【解決手段】複数のサステイン放電電極と、複数のスキャン電極と、複数のアドレス電極と、複数のスキャン電極に順次スキャンパルスを出力するスキャン電極駆動回路とを有し、スキャン電極駆動回路は、第１のノード及び第２のノード間に接続される第１の容量（Ｃ１）と、第１の電位のノード及び第１のノード間に接続される第１のダイオード（Ｄ１）と、複数のスキャン電極のうちの第１のスキャン電極に接続される第１のスキャンドライバ（ＳＣ１）と、複数のスキャン電極のうちの第１のスキャン電極とは異なる第２のスキャン電極に接続される第２のスキャンドライバ（ＳＣ２）と、第２のノードに第１のスキャンパルス電位及び第２のスキャンパルス電位を選択的に出力するスキャンパルス電位スイッチ回路（ＳＷ３〜ＳＷ５，ＳＷ７）とを有する。【選択図】図１
2010044119.tif 000002
【特許請求の範囲】
【請求項１】
複数のサステイン放電電極と、
前記複数のサステイン放電電極と並行して設けられ、前記複数のサステイン放電電極との間でサステイン放電を行う複数のスキャン電極と、
前記サステイン放電電極及び前記スキャン電極に交差するように設けられる複数のアドレス電極と、
前記複数のスキャン電極に順次、スキャンパルスを出力するスキャン電極駆動回路とを有し、
前記スキャン電極駆動回路は、
第１のノードと、
第２のノードと、
前記第１のノード及び前記第２のノード間に接続される第１の容量と、
第１の電位のノード及び前記第１のノード間に接続される第１のダイオードと、
前記複数のスキャン電極のうちの第１のスキャン電極に接続される第１のスキャンドライバと、
前記複数のスキャン電極のうちの前記第１のスキャン電極とは異なる第２のスキャン電極に接続される第２のスキャンドライバと、
前記第２のノードに第１のスキャンパルス電位及び前記第１のスキャンパルス電位よりも絶対値が小さくかつ前記第１の電位より絶対値が大きい第２のスキャンパルス電位を選択的に出力するスキャンパルス電位スイッチ回路とを有し、
前記第１のスキャンドライバは、
前記第１のスキャン電極及び前記第１のノード間に接続される第１のスイッチと、
前記第１のスキャン電極及び前記第２のノード間に接続される第２のスイッチとを有し、
前記第２のスキャンドライバは、
前記第２のスキャン電極及び前記第１のノード間に接続される第３のスイッチと、
前記第２のスキャン電極及び前記第２のノード間に接続される第４のスイッチとを有し、
前記スキャン電極駆動回路は、
前記第１のスキャン電極の電位を前記第１の電位から前記第１のスキャンパルス電位に変化させる際に、前記スキャンパルス電位スイッチ回路により前記第２のノードに前記第１のスキャンパルス電位を出力し、前記第１のスイッチをオンからオフに切り換え、前記第２のスイッチをオフからオンに切り換え、前記第３のスイッチをオンにし、前記第４のスイッチをオフにし、前記第２のスキャン電極の電位を前記第１の電位に維持し、
前記第１のスキャン電極の電位が前記第１のスキャンパルス電位に到達後、前記第３のスイッチをオフし、前記第２のスキャン電極の電位を前記第１の電位に維持し、
その後、前記第１のスキャン電極の電位を前記第１のスキャンパルス電位から前記第２のスキャンパルス電位に変化させ、
その後、前記第１のスキャン電極の電位を前記第２のスキャンパルス電位から前記第１の電位に変化させることを特徴とするプラズマディスプレイ装置。
【請求項２】
前記第１のスキャン電極の電位が前記第１のスキャンパルス電位になっている期間は、１００ｎｓ以上かつ３００ｎｓ以下の期間であることを特徴とする請求項１記載のプラズマディスプレイ装置。
【請求項３】
前記スキャン電極駆動回路は、前記第１のスキャン電極の電位を前記第１のスキャンパルス電位から前記第２のスキャンパルス電位に変化させる際に、前記第２のスイッチをオンにしたまま、前記スキャンパルス電位スイッチ回路により前記第２のノードに前記第２のスキャンパルス電位を出力することを特徴とする請求項１又は２記載のプラズマディスプレイ装置。
【請求項４】
前記スキャン電極駆動回路は、前記第１のスキャン電極の電位を前記第２のスキャンパルス電位から前記第１の電位に変化させる際に、前記第２のスイッチをオンからオフに切り換え、前記第１のスイッチをオフからオンに切り換えることを特徴とする請求項３記載のプラズマディスプレイ装置。
【請求項５】
前記スキャンパルス電位スイッチ回路は、
基準電位ノード及び第３のノード間に接続される第５のスイッチと、
前記第１のスキャンパルス電位と前記第２のスキャンパルス電位との電位差の電圧ノード及び前記第３のノード間に接続される第６のスイッチと、
前記第３のノード及び第４のノード間に接続される第２の容量と、
前記基準電位ノード及び前記第４のノード間に接続される第７のスイッチと、
前記第４のノード及び第５のノード間に接続される第３の容量と、
前記第５のノード及び前記第２のスキャンパルス電位のノード間に接続される第２のダイオードと、
前記第５のノード及び前記第２のノード間に接続される第８のスイッチとを有することを特徴とする請求項１〜４のいずれか１項に記載のプラズマディスプレイ装置。
【請求項６】
複数のサステイン放電電極と、
前記複数のサステイン放電電極と並行して設けられ、前記複数のサステイン放電電極との間でサステイン放電を行う複数のスキャン電極と、
前記サステイン放電電極及び前記スキャン電極に交差するように設けられる複数のアドレス電極と、
前記複数のスキャン電極に順次スキャンパルスを出力するスキャン電極駆動回路とを有し、
前記スキャン電極駆動回路は、
第１のノードと、
第２のノードと、
前記複数のスキャン電極のうちの第１のスキャン電極に接続される第１のスキャンドライバと、
前記複数のスキャン電極のうちの前記第１のスキャン電極とは異なる第２のスキャン電極に接続される第２のスキャンドライバと、
前記第２のノードに第１のスキャンパルス電位及び前記第１のスキャンパルス電位よりも絶対値が小さい第２のスキャンパルス電位を選択的に出力するスキャンパルス電位スイッチ回路と、
前記第１のノード及び前記第２のノード間に接続され、第１の電位と前記第１のスキャンパルス電位との差電圧を有する第１の電源とを有し、
前記第１のスキャンドライバは、
前記第１のスキャン電極及び前記第１のノード間に接続される第１のスイッチと、
前記第１のスキャン電極及び前記第２のノード間に接続される第２のスイッチとを有し、
前記第２のスキャンドライバは、
前記第２のスキャン電極及び前記第１のノード間に接続される第３のスイッチと、
前記第２のスキャン電極及び前記第２のノード間に接続される第４のスイッチとを有し、
前記スキャン電極駆動回路は、
前記第１のスキャン電極の電位を前記第１の電位から前記第１のスキャンパルス電位に変化させる際に、前記スキャンパルス電位スイッチ回路により前記第２のノードに前記第１のスキャンパルス電位を出力し、前記第１のスイッチをオンからオフに切り換え、前記第２のスイッチをオフからオンに切り換え、前記第３のスイッチをオンにし、前記第４のスイッチをオフにし、前記第２のスキャン電極の電位を前記第１の電位に維持し、
前記第１のスキャン電極の電位が前記第１のスキャンパルス電位に到達後、前記第３のスイッチをオフし、前記第２のスキャン電極の電位を前記第１の電位に維持し、
その後、前記第１のスキャン電極の電位を前記第１のスキャンパルス電位から前記第２のスキャンパルス電位に変化させ、
その後、前記第１のスキャン電極の電位を前記第２のスキャンパルス電位から前記第１の電位に変化させることを特徴とするプラズマディスプレイ装置。
【請求項７】
複数のサステイン放電電極と、
前記複数のサステイン放電電極と並行して設けられ、前記複数のサステイン放電電極との間でサステイン放電を行う複数のスキャン電極と、
前記サステイン放電電極及び前記スキャン電極に交差するように設けられる複数のアドレス電極と、
前記複数のスキャン電極に順次、スキャンパルスを出力するスキャン電極駆動回路とを有するプラズマディスプレイ装置の駆動方法であって、
前記スキャン電極駆動回路は、
第１のノードと、
第２のノードと、
前記第１のノード及び前記第２のノード間に接続される第１の容量と、
第１の電位のノード及び前記第１のノード間に接続される第１のダイオードと、
前記複数のスキャン電極のうちの第１のスキャン電極に接続される第１のスキャンドライバと、
前記複数のスキャン電極のうちの前記第１のスキャン電極とは異なる第２のスキャン電極に接続される第２のスキャンドライバと、
前記第２のノードに第１のスキャンパルス電位及び前記第１のスキャンパルス電位よりも絶対値が小さくかつ前記第１の電位より絶対値が大きい第２のスキャンパルス電位を選択的に出力するスキャンパルス電位スイッチ回路とを有し、
前記第１のスキャンドライバは、
前記第１のスキャン電極及び前記第１のノード間に接続される第１のスイッチと、
前記第１のスキャン電極及び前記第２のノード間に接続される第２のスイッチとを有し、
前記第２のスキャンドライバは、
前記第２のスキャン電極及び前記第１のノード間に接続される第３のスイッチと、
前記第２のスキャン電極及び前記第２のノード間に接続される第４のスイッチとを有し、
前記第１のスキャン電極の電位を前記第１の電位から前記第１のスキャンパルス電位に変化させる際に、前記スキャンパルス電位スイッチ回路により前記第２のノードに前記第１のスキャンパルス電位を出力し、前記第１のスイッチをオンからオフに切り換え、前記第２のスイッチをオフからオンに切り換え、前記第３のスイッチをオンにし、前記第４のスイッチをオフにし、前記第２のスキャン電極の電位を前記第１の電位に維持する第１のステップと、
前記第１のスキャン電極の電位が前記第１のスキャンパルス電位に到達後、前記第３のスイッチをオフし、前記第２のスキャン電極の電位を前記第１の電位に維持する第２のステップと、
その後、前記第１のスキャン電極の電位を前記第１のスキャンパルス電位から前記第２のスキャンパルス電位に変化させる第３のステップと、
その後、前記第１のスキャン電極の電位を前記第２のスキャンパルス電位から前記第１の電位に変化させる第４のステップと
を有することを特徴とするプラズマディスプレイ装置の駆動方法。
【請求項８】
複数のサステイン放電電極と、
前記複数のサステイン放電電極と並行して設けられ、前記複数のサステイン放電電極との間でサステイン放電を行う複数のスキャン電極と、
前記サステイン放電電極及び前記スキャン電極に交差するように設けられる複数のアドレス電極と、
前記複数のスキャン電極に順次、スキャンパルスを出力するスキャン電極駆動回路とを有するプラズマディスプレイ装置の駆動方法であって、
前記スキャン電極駆動回路は、
第１のノードと、
第２のノードと、
前記複数のスキャン電極のうちの第１のスキャン電極に接続される第１のスキャンドライバと、
前記複数のスキャン電極のうちの前記第１のスキャン電極とは異なる第２のスキャン電極に接続される第２のスキャンドライバと、
前記第２のノードに第１のスキャンパルス電位及び前記第１のスキャンパルス電位よりも絶対値が小さくかつ前記第１の電位より絶対値が大きい第２のスキャンパルス電位を選択的に出力するスキャンパルス電位スイッチ回路と、
前記第１のノード及び前記第２のノード間に接続され、第１の電位と前記第１のスキャンパルス電位との差電圧を有する第１の電源とを有し、
前記第１のスキャンドライバは、
前記第１のスキャン電極及び前記第１のノード間に接続される第１のスイッチと、
前記第１のスキャン電極及び前記第２のノード間に接続される第２のスイッチとを有し、
前記第２のスキャンドライバは、
前記第２のスキャン電極及び前記第１のノード間に接続される第３のスイッチと、
前記第２のスキャン電極及び前記第２のノード間に接続される第４のスイッチとを有し、
前記第１のスキャン電極の電位を前記第１の電位から前記第１のスキャンパルス電位に変化させる際に、前記スキャンパルス電位スイッチ回路により前記第２のノードに前記第１のスキャンパルス電位を出力し、前記第１のスイッチをオンからオフに切り換え、前記第２のスイッチをオフからオンに切り換え、前記第３のスイッチをオンにし、前記第４のスイッチをオフにし、前記第２のスキャン電極の電位を前記第１の電位に維持する第１のステップと、
前記第１のスキャン電極の電位が前記第１のスキャンパルス電位に到達後、前記第３のスイッチをオフし、前記第２のスキャン電極の電位を前記第１の電位に維持する第２のステップと、
その後、前記第１のスキャン電極の電位を前記第１のスキャンパルス電位から前記第２のスキャンパルス電位に変化させる第３のステップと、
その後、前記第１のスキャン電極の電位を前記第２のスキャンパルス電位から前記第１の電位に変化させる第４のステップと
を有することを特徴とするプラズマディスプレイ装置の駆動方法。
【発明の詳細な説明】
【技術分野】
【０００１】
本発明は、プラズマディスプレイ装置及びその駆動方法に関する。
【背景技術】
【０００２】
プラズマディスプレイ装置は、アドレス期間において表示を行う表示セルを選択し、サステイン放電期間において選択された表示セルのサステイン放電を行うことにより、表示を行う。アドレス期間では、複数のスキャン電極に順次、スキャンパルスを供給する。
【０００３】
近年、プラズマディスプレイ装置の表示ライン数が増加している。１フレーム期間を規定値にしつつ、表示ラインを増加させると、各スキャンパルスの期間が短くなる。高速で安定なアドレス選択を実施するためには、スキャンパルスの電圧を高くする必要がある。その場合、回路コストアップや消費電力の増大に繋がる。
【０００４】
また、特開２００５−３０１２６４号公報には、複数の走査電極，複数の維持電極及び複数のアドレス電極によって放電セルが形成され、リセット期間，アドレス期間，及び維持期間を有する駆動期間で前記放電セルを点灯させるプラズマ表示パネルの駆動方法において、点灯される前記放電セルに壁電荷の蓄積を行うアドレス期間で、前記複数の走査電極を第１グループ及び第２グループを含む複数のグループに分割し、前記第１グループの走査電極の中の少なくとも１つの走査電極に第１走査パルスを印加する段階と、前記第１走査パルスが印加された前記第１グループの走査電極に，前記第１走査パルスに連続して第２走査パルスを印加する段階と、前記第１グループの走査電極に前記第２走査パルスが印加される間に，前記第２グループの走査電極の中の少なくとも１つの走査電極に前記第１走査パルスを印加する段階と、前記第１走査パルスが印加された前記第２グループの走査電極に、前記第１走査パルスに連続して前記第２走査パルスを印加する段階と、を含むことを特徴とするプラズマ表示パネルの駆動方法が記載されている。
【０００５】
【特許文献１】特開２００５−３０１２６４号公報
【発明の開示】
【発明が解決しようとする課題】
【０００６】
本発明の目的は、無効電力を防止しつつ、表示ラインの多い画像を表示することができるプラズマディスプレイ装置及びその駆動方法を提供することである。
【課題を解決するための手段】
【０００７】
本発明のプラズマディスプレイ装置は、複数のサステイン放電電極と、前記複数のサステイン放電電極と並行して設けられ、前記複数のサステイン放電電極との間でサステイン放電を行う複数のスキャン電極と、前記サステイン放電電極及び前記スキャン電極に交差するように設けられる複数のアドレス電極と、前記複数のスキャン電極に順次、スキャンパルスを出力するスキャン電極駆動回路とを有し、前記スキャン電極駆動回路は、第１のノードと、第２のノードと、前記第１のノード及び前記第２のノード間に接続される第１の容量と、第１の電位のノード及び前記第１のノード間に接続される第１のダイオードと、前記複数のスキャン電極のうちの第１のスキャン電極に接続される第１のスキャンドライバと、前記複数のスキャン電極のうちの前記第１のスキャン電極とは異なる第２のスキャン電極に接続される第２のスキャンドライバと、前記第２のノードに第１のスキャンパルス電位及び前記第１のスキャンパルス電位よりも絶対値が小さくかつ前記第１の電位より絶対値が大きい第２のスキャンパルス電位を選択的に出力するスキャンパルス電位スイッチ回路とを有し、前記第１のスキャンドライバは、前記第１のスキャン電極及び前記第１のノード間に接続される第１のスイッチと、前記第１のスキャン電極及び前記第２のノード間に接続される第２のスイッチとを有し、前記第２のスキャンドライバは、前記第２のスキャン電極及び前記第１のノード間に接続される第３のスイッチと、前記第２のスキャン電極及び前記第２のノード間に接続される第４のスイッチとを有し、前記スキャン電極駆動回路は、前記第１のスキャン電極の電位を前記第１の電位から前記第１のスキャンパルス電位に変化させる際に、前記スキャンパルス電位スイッチ回路により前記第２のノードに前記第１のスキャンパルス電位を出力し、前記第１のスイッチをオンからオフに切り換え、前記第２のスイッチをオフからオンに切り換え、前記第３のスイッチをオンにし、前記第４のスイッチをオフにし、前記第２のスキャン電極の電位を前記第１の電位に維持し、前記第１のスキャン電極の電位が前記第１のスキャンパルス電位に到達後、前記第３のスイッチをオフし、前記第２のスキャン電極の電位を前記第１の電位に維持し、その後、前記第１のスキャン電極の電位を前記第１のスキャンパルス電位から前記第２のスキャンパルス電位に変化させ、その後、前記第１のスキャン電極の電位を前記第２のスキャンパルス電位から前記第１の電位に変化させることを特徴とする。
【０００８】
また、本発明のプラズマディスプレイ装置は、複数のサステイン放電電極と、前記複数のサステイン放電電極と並行して設けられ、前記複数のサステイン放電電極との間でサステイン放電を行う複数のスキャン電極と、前記サステイン放電電極及び前記スキャン電極に交差するように設けられる複数のアドレス電極と、前記複数のスキャン電極に順次スキャンパルスを出力するスキャン電極駆動回路とを有し、前記スキャン電極駆動回路は、第１のノードと、第２のノードと、前記複数のスキャン電極のうちの第１のスキャン電極に接続される第１のスキャンドライバと、前記複数のスキャン電極のうちの前記第１のスキャン電極とは異なる第２のスキャン電極に接続される第２のスキャンドライバと、前記第２のノードに第１のスキャンパルス電位及び前記第１のスキャンパルス電位よりも絶対値が小さい第２のスキャンパルス電位を選択的に出力するスキャンパルス電位スイッチ回路と、前記第１のノード及び前記第２のノード間に接続され、第１の電位と前記第１のスキャンパルス電位との差電圧を有する第１の電源とを有し、前記第１のスキャンドライバは、前記第１のスキャン電極及び前記第１のノード間に接続される第１のスイッチと、前記第１のスキャン電極及び前記第２のノード間に接続される第２のスイッチとを有し、前記第２のスキャンドライバは、前記第２のスキャン電極及び前記第１のノード間に接続される第３のスイッチと、前記第２のスキャン電極及び前記第２のノード間に接続される第４のスイッチとを有し、前記スキャン電極駆動回路は、前記第１のスキャン電極の電位を前記第１の電位から前記第１のスキャンパルス電位に変化させる際に、前記スキャンパルス電位スイッチ回路により前記第２のノードに前記第１のスキャンパルス電位を出力し、前記第１のスイッチをオンからオフに切り換え、前記第２のスイッチをオフからオンに切り換え、前記第３のスイッチをオンにし、前記第４のスイッチをオフにし、前記第２のスキャン電極の電位を前記第１の電位に維持し、前記第１のスキャン電極の電位が前記第１のスキャンパルス電位に到達後、前記第３のスイッチをオフし、前記第２のスキャン電極の電位を前記第１の電位に維持し、その後、前記第１のスキャン電極の電位を前記第１のスキャンパルス電位から前記第２のスキャンパルス電位に変化させ、その後、前記第１のスキャン電極の電位を前記第２のスキャンパルス電位から前記第１の電位に変化させることを特徴とする。
【０００９】
また、本発明のプラズマディスプレイ装置の駆動方法は、複数のサステイン放電電極と、前記複数のサステイン放電電極と並行して設けられ、前記複数のサステイン放電電極との間でサステイン放電を行う複数のスキャン電極と、前記サステイン放電電極及び前記スキャン電極に交差するように設けられる複数のアドレス電極と、前記複数のスキャン電極に順次、スキャンパルスを出力するスキャン電極駆動回路とを有するプラズマディスプレイ装置の駆動方法であって、前記スキャン電極駆動回路は、第１のノードと、第２のノードと、前記第１のノード及び前記第２のノード間に接続される第１の容量と、第１の電位のノード及び前記第１のノード間に接続される第１のダイオードと、前記複数のスキャン電極のうちの第１のスキャン電極に接続される第１のスキャンドライバと、前記複数のスキャン電極のうちの前記第１のスキャン電極とは異なる第２のスキャン電極に接続される第２のスキャンドライバと、前記第２のノードに第１のスキャンパルス電位及び前記第１のスキャンパルス電位よりも絶対値が小さくかつ前記第１の電位より絶対値が大きい第２のスキャンパルス電位を選択的に出力するスキャンパルス電位スイッチ回路とを有し、前記第１のスキャンドライバは、前記第１のスキャン電極及び前記第１のノード間に接続される第１のスイッチと、前記第１のスキャン電極及び前記第２のノード間に接続される第２のスイッチとを有し、前記第２のスキャンドライバは、前記第２のスキャン電極及び前記第１のノード間に接続される第３のスイッチと、前記第２のスキャン電極及び前記第２のノード間に接続される第４のスイッチとを有し、前記第１のスキャン電極の電位を前記第１の電位から前記第１のスキャンパルス電位に変化させる際に、前記スキャンパルス電位スイッチ回路により前記第２のノードに前記第１のスキャンパルス電位を出力し、前記第１のスイッチをオンからオフに切り換え、前記第２のスイッチをオフからオンに切り換え、前記第３のスイッチをオンにし、前記第４のスイッチをオフにし、前記第２のスキャン電極の電位を前記第１の電位に維持する第１のステップと、前記第１のスキャン電極の電位が前記第１のスキャンパルス電位に到達後、前記第３のスイッチをオフし、前記第２のスキャン電極の電位を前記第１の電位に維持する第２のステップと、その後、前記第１のスキャン電極の電位を前記第１のスキャンパルス電位から前記第２のスキャンパルス電位に変化させる第３のステップと、その後、前記第１のスキャン電極の電位を前記第２のスキャンパルス電位から前記第１の電位に変化させる第４のステップとを有することを特徴とする。
【００１０】
また、本発明のプラズマディスプレイ装置の駆動方法は、複数のサステイン放電電極と、前記複数のサステイン放電電極と並行して設けられ、前記複数のサステイン放電電極との間でサステイン放電を行う複数のスキャン電極と、前記サステイン放電電極及び前記スキャン電極に交差するように設けられる複数のアドレス電極と、前記複数のスキャン電極に順次、スキャンパルスを出力するスキャン電極駆動回路とを有するプラズマディスプレイ装置の駆動方法であって、前記スキャン電極駆動回路は、第１のノードと、第２のノードと、前記複数のスキャン電極のうちの第１のスキャン電極に接続される第１のスキャンドライバと、前記複数のスキャン電極のうちの前記第１のスキャン電極とは異なる第２のスキャン電極に接続される第２のスキャンドライバと、前記第２のノードに第１のスキャンパルス電位及び前記第１のスキャンパルス電位よりも絶対値が小さくかつ前記第１の電位より絶対値が大きい第２のスキャンパルス電位を選択的に出力するスキャンパルス電位スイッチ回路と、前記第１のノード及び前記第２のノード間に接続され、第１の電位と前記第１のスキャンパルス電位との差電圧を有する第１の電源とを有し、前記第１のスキャンドライバは、前記第１のスキャン電極及び前記第１のノード間に接続される第１のスイッチと、前記第１のスキャン電極及び前記第２のノード間に接続される第２のスイッチとを有し、前記第２のスキャンドライバは、前記第２のスキャン電極及び前記第１のノード間に接続される第３のスイッチと、前記第２のスキャン電極及び前記第２のノード間に接続される第４のスイッチとを有し、前記第１のスキャン電極の電位を前記第１の電位から前記第１のスキャンパルス電位に変化させる際に、前記スキャンパルス電位スイッチ回路により前記第２のノードに前記第１のスキャンパルス電位を出力し、前記第１のスイッチをオンからオフに切り換え、前記第２のスイッチをオフからオンに切り換え、前記第３のスイッチをオンにし、前記第４のスイッチをオフにし、前記第２のスキャン電極の電位を前記第１の電位に維持する第１のステップと、前記第１のスキャン電極の電位が前記第１のスキャンパルス電位に到達後、前記第３のスイッチをオフし、前記第２のスキャン電極の電位を前記第１の電位に維持する第２のステップと、その後、前記第１のスキャン電極の電位を前記第１のスキャンパルス電位から前記第２のスキャンパルス電位に変化させる第３のステップと、その後、前記第１のスキャン電極の電位を前記第２のスキャンパルス電位から前記第１の電位に変化させる第４のステップとを有することを特徴とする。
【発明の効果】
【００１１】
スキャンパルスに第１のスキャンパルス電位及び第２のスキャンパルス電位を設けることにより、短期間のスキャンパルスでもスキャン電極は安定した放電を行うことができる。これにより、表示ラインの多い画像を表示することができる。また、第１のスキャン電極の電位が第１のスキャンパルス電位に到達後、第３のスイッチをオフし、第２のスキャン電極の電位を第１の電位に維持することにより、第２のスキャン電極の電位変動を防止、無効電力を防止することができる。
【発明を実施するための最良の形態】
【００１２】
図２は、本発明の実施形態によるプラズマディスプレイ装置の構成例を示す図である。制御回路７は、Ｘ電極（サステイン放電電極）駆動回路４、Ｙ電極（スキャン電極）駆動回路５及びアドレス電極駆動回路６を制御する。Ｘ電極駆動回路４は、複数のサステイン放電電極（以下、Ｘ電極という）Ｘ１，Ｘ２，・・・に所定の電圧を供給する。以下、Ｘ電極Ｘ１，Ｘ２，・・・の各々を又はそれらの総称を、Ｘ電極Ｘｉといい、ｉは添え字を意味する。Ｙ電極駆動回路５は、複数のスキャン電極（以下、Ｙ電極という）Ｙ１，Ｙ２，・・・に所定の電圧を供給する。以下、Ｙ電極Ｙ１，Ｙ２，・・・の各々を又はそれらの総称を、Ｙ電極Ｙｉといい、ｉは添え字を意味する。アドレス電極駆動回路６は、複数のアドレス電極Ａ１，Ａ２，・・・に所定の電圧を供給する。以下、アドレス電極Ａ１，Ａ２，・・・の各々を又はそれらの総称を、アドレス電極Ａｊといい、ｊは添え字を意味する。
【００１３】
プラズマディスプレイパネル３では、Ｙ電極Ｙｉ及びＸ電極Ｘｉが水平方向に並行して延びる行を形成し、アドレス電極Ａｊが垂直方向に延びる列を形成する。アドレス電極Ａｊは、Ｘ電極Ｘｉ及びＹ電極Ｙｉに交差するように設けられる。Ｙ電極Ｙｉ及びＸ電極Ｘｉは、垂直方向に交互に配置される。Ｙ電極Ｙｉ及びアドレス電極Ａｊは、ｉ行ｊ列の２次元行列を形成する。表示セルＣｉｊは、Ｙ電極Ｙｉ及びアドレス電極Ａｊの交点並びにそれに対応して隣接するＸ電極Ｘｉにより形成される。この表示セルＣｉｊが画素に対応し、プラズマディスプレイパネル３は２次元画像を表示することができる。
【００１４】
図３は、プラズマディスプレイパネル３の構造例を示す分解斜視図である。Ｘ電極Ｘｉ及びＹ電極Ｙｉは、前面ガラス基板１上に形成されている。その上には、放電空間に対し絶縁するための誘電体層１３が被着されている。さらにその上には、ＭｇＯ（酸化マグネシウム）保護層１４が被着されている。一方、アドレス電極Ａｊは、前面ガラス基板１と対向して配置された背面ガラス基板２上に形成される。その上には、誘電体層１６が被着される。更にその上には、蛍光体１８〜２０が被着されている。隔壁１７の内面には、赤、青、緑色の蛍光体１８〜２０がストライプ状に各色毎に配列、塗付されている。Ｘ電極Ｘｉ及びＹ電極Ｙｉの間の放電によって蛍光体１８〜２０を励起して各色が発光する。前面ガラス基板１及び背面ガラス基板２との間の放電空間には、Ｎｅ＋Ｘｅペニングガス等が封入されている。
【００１５】
図４は画像の１フレームＦＲにおけるプラズマディスプレイ装置の駆動方法例を示す図であり、図５は１サブフレームＳＦ１におけるプラズマディスプレイ装置の駆動方法例を示す図である。
【００１６】
１フレームＦＲは、第１のサブフレームＳＦ１、第２のサブフレームＳＦ２、・・・、第ｎのサブフレームＳＦｎにより形成される。このｎは、例えば１０であり、階調ビット数に相当する。サブフレームＳＦ１，ＳＦ２等の各々を又はそれらの総称を、以下、サブフレームＳＦという。各サブフレームＳＦは、リセット期間Ｔｒ、アドレス期間Ｔａ及びサステイン放電期間Ｔｓにより構成される。
【００１７】
リセット期間Ｔｒでは、Ｘ電極Ｘｉ及びＹ電極Ｙｉに所定の電圧を印加して、表示セルＣｉｊの初期化を行う。Ｙ電極Ｙｉには、正電圧Ｖｗのリセット書き込みパルス５０２及び負電圧−Ｖeのリセット消去パルス５０３が印加される。
【００１８】
アドレス期間Ｔａでは、Ｙ電極駆動回路５は、サステイン放電期間Ｔｓでサステイン放電を行うＹ電極Ｙｉを選択するために複数のＹ電極Ｙｉに順次、スキャンパルス５０４を出力する。具体的には、Ｙ電極Ｙ１，Ｙ２，・・・に対してスキャンパルス５０４を順次スキャンして印加し、そのスキャンパルス５０４に対応してアドレスパルス５０１をアドレス電極Ａｊに印加することにより表示する表示セルＣｉｊを選択する。Ｙ電極Ｙｉのスキャンパルス５０４に対応してアドレス電極Ａｊのアドレスパルス５０１が生成されれば、そのＹ電極Ｙｉ及びＸ電極Ｘｉの表示セルＣｉｊが選択される。Ｙ電極Ｙｉのスキャンパルス５０４に対応してアドレス電極Ａｊのアドレスパルス５０１が生成されなければ、そのＹ電極Ｙｉ及びＸ電極Ｘｉの表示セルＣｉｊが選択されない。スキャンパルス５０４に対応してアドレスパルス５０１が生成されると、アドレス電極Ａｊ及びＹ電極Ｙｉ間のアドレス放電が起こり、それを種火としてＸ電極Ｘｉ及びＹ電極Ｙｉ間で放電が起こり、Ｘ電極Ｘｉに負電荷が蓄積され、Ｙ電極Ｙｉに正電荷が蓄積される。アドレス期間Ｔａの動作の詳細は、後に図６を参照しながら説明する。
【００１９】
サステイン期間Ｔｓでは、Ｘ電極Ｘｉ及びＹ電極Ｙｉ間に互いに逆相のサステインパルス５０５及び５０６が印加され、選択された表示セルＣｉｊのＸ電極Ｘｉ及びＹ電極Ｙｉ間でサステイン放電を行い、発光を行う。各サブフレームＳＦでは、Ｘ電極Ｘｉ及びＹ電極Ｙｉのサステインパルス５０５及び５０６による発光回数（サステイン放電期間Ｔｓの長さ）が異なる。これにより、階調値を決めることができる。
【００２０】
図１は本発明の実施形態によるＹ電極駆動回路５の構成例を示す回路図であり、図６はアドレス期間Ｔａにおけるプラズマディスプレイ装置の駆動方法を示すタイミングチャートである。
【００２１】
第１のスキャンドライバＳＣ１は、第１のＹ電極Ｙ１に接続され、第１のスイッチＳＷ１及び第２のスイッチＳＷ２を有する。スイッチＳＷ１は、第１のＹ電極Ｙ１及び第１のノードＶＤＨ間に接続される。スイッチＳＷ２は、第１のＹ電極Ｙ１及び第２のノードＦＧＮＤ間に接続される。スイッチＳＷ１は、ドレインが第１のノードＶＤＨに接続され、ソースが第１のＹ電極Ｙ１に接続されるｎチャネル電界効果トランジスタと、アノードが第１のＹ電極Ｙ１に接続され、カソードが第１のノードＶＤＨに接続されるダイオードとを有する。スイッチＳＷ２は、ソースが第２のノードＦＧＮＤに接続され、ドレインが第１のＹ電極Ｙ１に接続されるｎチャネル電界効果トランジスタと、カソードが第１のＹ電極Ｙ１に接続され、アノードが第２のノードＦＧＮＤに接続されるダイオードとを有する。
【００２２】
第２のスキャンドライバＳＣ２は、第２のＹ電極Ｙ２に接続され、第３のスイッチＳＷ２１及び第４のスイッチＳＷ２２を有する。スイッチＳＷ２１は、第２のＹ電極Ｙ２及び第１のノードＶＤＨ間に接続される。スイッチＳＷ２２は、第２のＹ電極Ｙ２及び第２のノードＦＧＮＤ間に接続される。スイッチＳＷ２１は、ドレインが第１のノードＶＤＨに接続され、ソースが第２のＹ電極Ｙ２に接続されるｎチャネル電界効果トランジスタと、アノードが第２のＹ電極Ｙ２に接続され、カソードが第１のノードＶＤＨに接続されるダイオードとを有する。スイッチＳＷ２２は、ソースが第２のノードＦＧＮＤに接続され、ドレインが第２のＹ電極Ｙ２に接続されるｎチャネル電界効果トランジスタと、カソードが第２のＹ電極Ｙ２に接続され、アノードが第２のノードＦＧＮＤに接続されるダイオードとを有する。
【００２３】
第３のスキャンドライバＳＣ３は、第３のＹ電極Ｙ３に接続され、スイッチＳＷ３１及びスイッチＳＷ３２を有する。スイッチＳＷ３１は、第３のＹ電極Ｙ３及び第１のノードＶＤＨ間に接続される。スイッチＳＷ３２は、第３のＹ電極Ｙ３及び第２のノードＦＧＮＤ間に接続される。スイッチＳＷ３１は、ドレインが第１のノードＶＤＨに接続され、ソースが第３のＹ電極Ｙ３に接続されるｎチャネル電界効果トランジスタと、アノードが第３のＹ電極Ｙ３に接続され、カソードが第１のノードＶＤＨに接続されるダイオードとを有する。スイッチＳＷ３２は、ソースが第２のノードＦＧＮＤに接続され、ドレインが第３のＹ電極Ｙ３に接続されるｎチャネル電界効果トランジスタと、カソードが第３のＹ電極Ｙ３に接続され、アノードが第２のノードＦＧＮＤに接続されるダイオードとを有する。
【００２４】
他のＹ電極についても、スキャンドライバＳＣ１〜ＳＣ３と同様のスキャンドライバが接続される。
【００２５】
第１の容量Ｃ１は、第１のノードＶＤＨ及び第２のノードＦＧＮＤ間に接続され、アドレス電極Ａｊにアドレスパルス５０１を印加した際の第１のノードＶＤＨ及び第２のノードＦＧＮＤのスパイク電圧を防止し、第１及び第２のスキャンパルスを供給しないときに印加する非選択電位(本実施形態での第１の電位Ｖｓｃ)を安定に保持する作用を有する。
【００２６】
第１のダイオードＤ１は、アノードが第１の電位Ｖｓｃのノードに接続され、カソード第１のノードＶＤＨ間に接続される。第１の電位Ｖｓｃは、例えば０Ｖである。
【００２７】
スキャンパルス電位スイッチ回路は、スイッチＳＷ３，ＳＷ４，ＳＷ５，ＳＷ７、容量Ｃ２，Ｃ３及びダイオードＤ２を有し、第２のノードＦＧＮＤに第１のスキャンパルス電位−Ｖｙ−Ｖｙｓ（図６）及び第１のスキャンパルス電位−Ｖｙ−Ｖｙｓよりも絶対値が小さくかつ第１の電位Ｖｓｃより絶対値が大きい第２のスキャンパルス電位−Ｖｙ（図６）を選択的に出力する。
【００２８】
第５のスイッチＳＷ３は、基準電位（グランド電位）ノード及び第３のノードＮ３間に接続され、ドレインが第３のノードＮ３に接続され、ソースが基準電位ノードに接続されるｎチャネル電界効果トランジスタと、アノードが基準電位ノードに接続され、カソードが第３のノードＮ３に接続されるダイオードとを有する。
【００２９】
第６のスイッチＳＷ４は、第１のスキャンパルス電位−Ｖｙ−Ｖｙｓと第２のスキャンパルス電位−Ｖｙとの電位差Ｖｙｓの電圧ノード及び第３のノードＮ３間に接続され、ドレインが電位差Ｖｙｓの電圧ノードに接続され、ソースが第３のノードＮ３に接続されるｎチャネル電界効果トランジスタと、アノードが第３のノードＮ３に接続され、カソードが電位差Ｖｙｓの電圧ノードに接続されるダイオードとを有する。
【００３０】
第２の容量Ｃ２は、第３のノードＮ３及び第４のノードＮ４間に接続される。第３の容量Ｃ３は、第４のノードＮ４及び第５のノードＮ５間に接続される。
【００３１】
第７のスイッチＳＷ５は、基準電位ノード及び第４のノードＮ４間に接続され、ドレインが基準電位ノードに接続され、ソースが第４のノードＮ４に接続されるｎチャネル電界効果トランジスタと、アノードが第４のノードＮ４に接続され、カソードが基準電位ノードに接続されるダイオードとを有する。
【００３２】
第２のダイオードＤ２は、アノードが第５のノードＮ５に接続され、カソードが第２のスキャンパルス電位−Ｖｙのノードに接続される。
【００３３】
第８のスイッチＳＷ７は、第５のノードＮ５及び第２のノードＦＧＮＤ間に接続され、ドレインが第２のノードＦＧＮＤに接続され、ソースが第５のノードＮ５に接続されるｎチャネル電界効果トランジスタと、アノードが第５のノードＮ５に接続され、カソードが第２のノードＦＧＮＤに接続されるダイオードとを有する。
【００３４】
スイッチＳＷ６は、正電圧Ｖｗのノード及び第２のノードＦＧＮＤ間に接続され、オンにすることにより図５のリセット書き込みパルス５０２を生成することができる。
【００３５】
スイッチＳＷ８は、ツェナーダイオードＤ５及び抵抗Ｒ１を介して、第２のノードＦＧＮＤ及び第５のノードＮ５間に接続され、オンにすることにより図５のリセット消去パルス５０３を生成することができる。
【００３６】
スイッチＳＷ９〜ＳＷ１３、ダイオードＤ３，Ｄ４、容量Ｃ４、インダクタＬ１は、図５のサステインパルス５０６を生成するための回路である。スイッチＳＷ１３は、両方向スイッチであり、サステイン放電期間Ｔｓにオンになる。スイッチＳＷ１1をオンにすることによりＬＣ共振でサステインパルス５０６を電圧Ｖｓに立ち上げることができる。その後、スイッチＳＷ９をオンにすることにより、サステインパルス５０６を電圧Ｖｓにクランプすることができる。その後、スイッチＳＷ１２をオンすることによりＬＣ共振でサステインパルス５０６を０Ｖに立ち下げることができる。その後、スイッチＳＷ１０をオンにすることにより、サステインパルス５０６を０Ｖにクランプすることができる。
【００３７】
次に、図６を参照しながら、アドレス期間Ｔａのプラズマディスプレイ装置の駆動方法を説明する。本実施形態では、期間Ｔ２〜Ｔ６のＹ電極Ｙ１のスキャンパルスは、２段構成になっている。スキャンパルスは、期間Ｔ２で第１の電位Ｖｓｃから第１のスキャンパルス電位−Ｖｙ−Ｖｙｓに立ち下がり、期間Ｔ４で第１のスキャンパルス電位−Ｖｙ−Ｖｙｓから第２のスキャンパルス電位−Ｖｙに立ち上がり、期間Ｔ７で第２のスキャンパルス電位−Ｖｙから第１の電位Ｖｓｃに立ち上がる。
【００３８】
例えば、第１の電位Ｖｓｃは０Ｖ、第１のスキャンパルス電位−Ｖｙ−Ｖｙｓは−１８０Ｖ、第２のスキャンパルス電位−Ｖｙは−１５０である。また、アドレス電極Ａ１，Ａ２のアドレスパルスは、ローレベルが０Ｖ、ハイレベルが７０Ｖである。
【００３９】
仮に、スキャンパルスを第１の電位Ｖｓｃとし及び第２のスキャンパルス電位−Ｖｙの２値で構成すると、プラズマディスプレイ装置の表示ライン数が増加すると、アドレス期間ＴａにおいてＹ電極Ｙｉ及びアドレス電極Ａｊ間で安定した放電を行うことができない。近年、表示ラインが１０８０本であるフルＨＤ（high definition）の登場により、プラズマディスプレイ装置の表示ライン数が増加している。１フレームＦＲの期間を規定値にしつつ、表示ラインを増加させると、各スキャンパルスの期間が短くなる。各スキャンパルスの期間が短くなると、アドレス期間ＴａにおいてＹ電極Ｙｉ及びアドレス電極Ａｊ間で安定した放電を行うことができない。
【００４０】
そこで、スキャンパルスを第１のスキャンパルス電位−Ｖｙ−Ｖｙｓで構成することが考えられる。その場合、期間Ｔ２及びＴ３において、スキャン電極Ｙ１及びアドレス電極Ａ１間では適切な放電が起こるが、スキャン電極Ｙ１及びアドレス電極Ａ２間でも誤って放電してしまうことがある。
【００４１】
本実施形態では、スキャンパルスを第１のスキャンパルス電位−Ｖｙ−Ｖｙｓ及び第２のスキャンパルス電位−Ｖｙの２段階に設定することにより、期間Ｔ２及びＴ３において、スキャン電極Ｙ１及びアドレス電極Ａ１間では放電が起こり、スキャン電極Ｙ１及びアドレス電極Ａ２間では放電が起こらず、適切な動作を行うことができる。
【００４２】
図７〜図１１は、図１の回路の動作を説明するための図である。以下、図７〜図１１を参照しながら、図６の駆動方法を説明する。図６において、スイッチＳＷ１〜ＳＷ５，ＳＷ７，ＳＷ２１，ＳＷ２２，ＳＷ３１，ＳＷ３２は、それらのゲート電圧を示し、ゲート電圧がハイレベルになるとオンし、ゲート電圧がローレベルになるとオフする。
【００４３】
期間Ｔ１の前では、期間Ｔ４及びＴ５と同様に、スイッチＳＷ４及びＳＷ５がオンする。図７に示すように、スイッチＳＷ４がオンになると、電流７０１が流れ、容量Ｃ２に電圧Ｖｙｓが充電される。スイッチＳＷ５がオンになると、電流７０２が流れ、容量Ｃ３に電圧Ｖｙが充電される。その後、期間Ｔ７〜Ｔ９と同様に、スイッチＳＷ４及びＳＷ５がオフになる。
【００４４】
次に、期間Ｔ１では、スイッチＳＷ３及びＳＷ７がオフからオンになる。すると、図８に示すように、電流８０１が流れる。ノードＮ３はグランド電位になり、ノードＮ５は第１のスキャンパルス電位−Ｖｙ−Ｖｙｓになる。さらに、スイッチＳＷ７がオンすることにより、第２のノードＦＧＮＤが第１のスキャンパルス電位−Ｖｙ−Ｖｙｓになる。容量Ｃ１にはＶｓｃ＋Ｖｙ＋Ｖｙｓの電圧が充電される。期間Ｔ１の開始時では、スイッチＳＷ１,ＳＷ２１,ＳＷ３１はオン、スイッチＳＷ２，ＳＷ２２，ＳＷ３２はオフであり、Ｙ電極Ｙ１〜Ｙ３は第１の電位Ｖｓｃである。
【００４５】
次に、スイッチＳＷ１をオンからオフにし、その後、期間Ｔ２では、スイッチＳＷ２をオフからオンにする。すると、図９に示すように、電流９０１〜９０３が流れる。第１のノードＶＤＨは第１の電位Ｖｓｃであり、第２のノードＦＧＮＤは第１のスキャンパルス電位−Ｖｙ−Ｖｙｓである。スイッチＳＷ２がオンであるので、Ｙ電極Ｙ１は第１のスキャンパルス電位−Ｖｙ−Ｖｙｓになる。また、スイッチＳＷ２１がオンであるので、Ｙ電極Ｙ２は第１の電位Ｖｓｃになる。また、スイッチＳＷ３１がオンであるので、Ｙ電極Ｙ３は第１の電位Ｖｓｃになる。
【００４６】
次に、期間Ｔ３では、スイッチＳＷ２１及びＳＷ３１をオフにする。すると、Ｙ電極Ｙ２及びＹ３は、オープン状態になり、第１の電位Ｖｓｃを維持する。
【００４７】
次に、スイッチＳＷ３をオフにし、その後、期間Ｔ４では、スイッチＳＷ４及びＳＷ５をオンにする。すると、図１０に示すように、電流１００１が流れる。ノードＮ４はグランド電位になり、ノードＮ５及びＦＧＮＤは第２のスキャンパルス電位−Ｖｙになる。第１のノードＶＤＨは、容量Ｃ１により第２のノードＦＧＮＤに結合されているので、Ｖｓｃ＋Ｖｙｓの電位になる。スイッチＳＷ２がオンであるので、Ｙ電極Ｙ１は第２のスキャンパルス電位−Ｖｙになる。Ｙ電極Ｙ２及びＹ３は、スイッチＳＷ２１，ＳＷ２２，ＳＷ３１，ＳＷ３２がオフであるので、第１の電位Ｖｓｃを維持する。
【００４８】
ここで、仮に、スイッチＳＷ２１及びＳＷ３１を破線で示すように、期間Ｔ３〜Ｔ６でオン状態を維持する場合を説明する。その場合、上記のように、期間Ｔ４〜Ｔ６において、第２のノードＦＧＮＤが第１のスキャンパルス電位−Ｖｙ−Ｖｙｓになるので、Ｙ電極Ｙ２及びＹ３では破線で示すようにＶｓｃ+Ｖｙｓのパルスが発生してしまう。このパルスは、Ｃ×Ｖ2×ｆで表わされる無効電力を生じる。ここで、Ｃは容量であり、Ｖは電圧Ｖｙｓであり、ｆは周波数である。
【００４９】
本実施形態では、期間Ｔ３〜Ｔ６において、スイッチＳＷ２１及びＳＷ３１をオフにすることにより、Ｙ電極Ｙ２及びＹ３は、オープン状態になり、第１の電位Ｖｓｃを維持することができる。これにより、Ｙ電極Ｙ２及びＹ３の破線で示すパルスの発生を防止し、そのパルスによる無効電力を防止することができる。
【００５０】
次に、期間Ｔ６では、スイッチＳＷ２、ＳＷ４及びＳＷ５をオフにする。その後、期間Ｔ７では、スイッチＳＷ１，ＳＷ２１，ＳＷ３１，ＳＷ３をオンにする。すると、図１１に示すように、電流１１０１〜１１０３が流れる。期間Ｔ１と同様に、図８に示すように、ノードＮ３がグランド電位、第２のノードＦＧＮＤが第１のスキャンパルス電位−Ｖｙ−Ｖｙｓ、第１のノードＶＤＨが第１の電位Ｖｓｃになる。そして、図１１に示すように、スイッチＳＷ２がオンであるのでＹ電極Ｙ１は第１の電位Ｖｓｃになり、スイッチＳＷ２１がオンであるのでＹ電極Ｙ２は第１の電位Ｖｓｃになり、スイッチＳＷ３１がオンであるのでＹ電極Ｙ３は第１の電位Ｖｓｃになる。
【００５１】
以上は、Ｙ電極Ｙ１にスキャンパルスを出力する駆動方法を説明した。その後、期間Ｔ７において、スイッチＳＷ２１をオフし、上記と同様に、期間Ｔ８〜Ｔ１３においてＹ電極Ｙ２にスキャンパルスを出力し、期間Ｔ１４〜Ｔ１９においてＹ電極Ｙ３にスキャンパルスを出力する駆動を行う。期間Ｔ８〜Ｔ１３では、期間Ｔ１〜Ｔ７における第１のスキャンドライバＳＣ１及び第２のスキャンドライバＳＣ２の処理を入れ替えればよい。また、期間Ｔ１４〜Ｔ１９では、期間Ｔ１〜Ｔ７における第１のスキャンドライバＳＣ１及び第３のスキャンドライバＳＣ３の処理を入れ替えればよい。以後、同様にして、すべてのＹ電極に順次、スキャンパルスを出力する。
【００５２】
期間Ｔ９〜Ｔ１２においても、スイッチＳＷ１及びＳＷ３１をオフにすることにより、Ｙ電極Ｙ１及びＹ３のパルス発生を防止し、無効電力を防止することができる。同様に、期間Ｔ１５〜Ｔ１８においても、スイッチＳＷ１及びＳＷ２１をオフにすることにより、Ｙ電極Ｙ１及びＹ２のパルス発生を防止し、無効電力を防止することができる。
【００５３】
以上のように、Ｙ電極駆動回路５は、期間Ｔ２において、第１のＹ電極Ｙ１の電位を第１の電位Ｖｓｃから第１のスキャンパルス電位−Ｖｙ−Ｖｙｓに変化させる際に、スキャンパルス電位スイッチ回路ＳＷ３〜ＳＷ５，ＳＷ７により第２のノードＦＧＮＤに第１のスキャンパルス電位−Ｖｙ−Ｖｙｓを出力し、第１のスイッチＳＷ１をオンからオフに切り換え、第２のスイッチＳＷ２をオフからオンに切り換え、第３のスイッチＳＷ２１をオンにし、第４のスイッチＳＷ２２をオフにし、第２のＹ電極Ｙ２の電位を第１の電位Ｖｓｃに維持する。
【００５４】
また、Ｙ電極駆動回路５は、期間Ｔ３において、第１のＹ電極Ｙ１の電位が第１のスキャンパルス電位−Ｖｙ−Ｖｙｓに到達後、第３のスイッチＳＷ２１をオフし、第２のＹ電極Ｙ２の電位を第１の電位Ｖｓｃに維持する。
【００５５】
また、Ｙ電極駆動回路５は、その後、期間Ｔ４において、第１のＹ電極Ｙ１の電位を第１のスキャンパルス電位−Ｖｙ−Ｖｙｓから第２のスキャンパルス電位−Ｖｙに変化させる際に、第２のスイッチＳＷ２をオンにしたまま、スキャンパルス電位スイッチ回路ＳＷ３〜ＳＷ５，ＳＷ７により第２のノードＦＧＮＤに第２のスキャンパルス電位−Ｖｙを出力する。
【００５６】
また、Ｙ電極駆動回路５は、その後、期間Ｔ７において、第１のＹ電極Ｙ１の電位を第２のスキャンパルス電位−Ｖｙから第１の電位Ｖｓｃに変化させる際に、第２のスイッチＳＷ２をオンからオフに切り換え、第１のスイッチＳＷ１をオフからオンに切り換える。
【００５７】
第１のＹ電極Ｙ１の電位が第１のスキャンパルス電位−Ｖｙ−Ｖｙｓになっている期間Ｔ２〜Ｔ３は、１００ｎｓ以上かつ３００ｎｓ以下の期間であることが好ましい。例えば、スキャンパルスの期間Ｔ２〜Ｔ６は、１μｓである。
【００５８】
以上のように、本実施形態によれば、スキャンパルスに第１のスキャンパルス電位−Ｖｙ−Ｖｙｓ及び第２のスキャンパルス電位−Ｖｙを設けることにより、短期間のスキャンパルスでもＹ電極は安定した放電を行うことができる。これにより、表示ラインの多い画像を表示することができる。また、第１のＹ電極Ｙ１の電位が第１のスキャンパルス電位−Ｖｙ−Ｖｙｓに到達後、スイッチＳＷ２１及びＳＷ３１をオフし、Ｙ電極Ｙ２及びＹ３の電位を第１の電位Ｖｓｃに維持することにより、Ｙ電極Ｙ２及びＹ３の電位変動を防止、無効電力を防止することができる。
【００５９】
また、以上説明した実施形態では第１のノードＶＤＨと第２のノードＦＧＮＤ間に容量Ｃ１を接続した場合について説明したが、本実施形態はこれに限るものではなく、図１２に示すように第１のノードＶＤＨと第２のノードＦＧＮＤ間に電源ＶＢを接続した場合についても適用可能である。図１２において電源ＶＢは、図１での容量Ｃ１に充電される電圧値に対応する電圧値を有する電源であり、第２のノードＦＧＮＤに第１のスキャンパルス電位−Ｖｙ−Ｖｙｓが供給されたときに、第１のノードＶＤＨの電位がＶｓｃとなるように設定されている。従って、図１に示す実施形態と同様に動作し、同様の効果を得ることができる。
【００６０】
なお、上記実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【図面の簡単な説明】
【００６１】
【図１】本発明の実施形態によるＹ電極駆動回路の構成例を示す回路図である。
【図２】本発明の実施形態によるプラズマディスプレイ装置の構成例を示す図である。
【図３】プラズマディスプレイパネルの構造例を示す分解斜視図である。
【図４】画像の１フレームにおけるプラズマディスプレイ装置の駆動方法例を示す図である。
【図５】１サブフレームにおけるプラズマディスプレイ装置の駆動方法例を示す図である。
【図６】アドレス期間におけるプラズマディスプレイ装置の駆動方法を示すタイミングチャートである。
【図７】図１の回路の動作を説明するための図である。
【図８】図１の回路の動作を説明するための図である。
【図９】図１の回路の動作を説明するための図である。
【図１０】図１の回路の動作を説明するための図である。
【図１１】図１の回路の動作を説明するための図である。
【図１２】本発明の実施形態によるＹ電極駆動回路の別の構成例を示す回路図である。
【符号の説明】
【００６２】
１  前面ガラス基板
２  背面ガラス基板
３  プラズマディスプレイパネル
４  Ｘ電極駆動回路
５  Ｙ電極駆動回路
６  アドレス電極駆動回路
７  制御回路
１３、１６  誘電体層
１４  保護層
１７  隔壁
１８〜２０  蛍光体
【図１】
2010044119.tif 000003
【図２】
2010044119.tif 000004
【図３】
2010044119.tif 000005
【図４】
2010044119.tif 000006
【図５】
2010044119.tif 000007
【図６】
2010044119.tif 000008
【図７】
2010044119.tif 000009
【図８】
2010044119.tif 000010
【図９】
2010044119.tif 000011
【図１０】
2010044119.tif 000012
【図１１】
2010044119.tif 000013
【図１２】
2010044119.tif 000014